(57)【要約】  身元証明写真を撮影するための装置。壁面に取り付けたり、その搬送用コンテナの上に取り付けて使用できる。撮影装置は、ベース（１）、モータユニット(２)、摺動ブロック(６３)に固定された直立部材(３)、水平に延在するフレーム(４)、および少なくとも３台のデジタルビデオカメラ(７、７２、７３)を含む。ベース（１）は、支持フレーム(１３)への接続のためのブラケット(１１)を備えるとともに、摺動ブロック(６３)が上下動するためのガイドを有する。モータユニット(２)は、ベース（１）に固定されていて、摺動ブロック(６３)をガイドに沿って移動させる。水平フレーム(４)は、直立部材(３)によって支持されており、シートホルダ(８、８０、８１)および対応する垂直の背景シート(９０、９１、９２)を支持して、撮影空間(９)を作り出す。デジタルビデオカメラ(７、７２、７３)は、撮影空間(９)に向けられていて、被写体の顔面を、前方および両側方から同時に撮影する。また、同時に撮影した３つの画像をデジタル形式で記録する。
2007519008.tif 000002
【特許請求の範囲】
【請求項１】
壁面または搬送用コンテナ上に取り付けて使用できる、身元証明写真を撮影するための搬送可能な装置であって、当該装置は、次のものを含む。
− 垂直に延在するベース。当該ベースは、支持フレームへ接続するためのブラケットを備えるとともに、一対の角柱状部材を有する。当該ベースと一体に縦方向のガイドが形成されていて、摺動ブロックが、垂直方向移動手段によって、リミットスイッチによる制御下で上下にスライド可能である。
− 上記ベースに固定されたモータユニット。当該モータユニットは、モータ手段と、摺動ブロックを上記ガイドに沿ってスライドさせる上記垂直方向移動手段へと運動を伝達する手段と、を含む。
− 上記摺動ブロックに固定されていて、超音波を利用した高さ計を備える、直立部材。
− 上記直立部材により支持された、水平に延在するフレーム。当該フレームは、撮影空間を作り出すためのシートホルダおよび対応する垂直の背景シートを支持する。背景シートのうちの２枚は、互いに対向して配置され、中央に開口を有している。第３の後方シートは、上記２枚のシートに対して直角に配置される。
− それぞれが照明用ランプを備えた少なくとも３台のデジタルビデオカメラ。すなわち、上記第３の後方シートに対向して配置された前方ビデオカメラと、上記２枚の背景シートの対応する中央開口に通される側方の２台のビデオカメラ。当該少なくとも３台のビデオカメラは、上記撮影空間に向けられていて、被写体の顔面を前方および両側方から同時に撮影するとともに、同時に撮影したこれら３つの画像をデジタル形式で記録する。
− マイクロプロセッサーを含む制御装置。当該マイクロプロセッサーは、制御カードを介して、上記モータ手段、リミットスイッチ、高さ計、デジタルビデオカメラの照明用ランプ、およびデジタルビデオカメラ自身に、機能的に接続されている。当該制御装置は、オペレーティング装置に接続されていて、身元証明写真の撮影、選択、保存を行う。
【請求項２】
上記垂直に延在するベースは、平らな平行六面体の形状を為し、
１つの面は、上記撮影空間と反対側に向いていて、この面には、上記支持フレームへ接続するためのブラケットが固定されていて、
２つの側面には、上記摺動ブロックの対応する形状に係合してスライドさせる鳩尾状ガイドが形成されていて、
他の１つの面は、上記撮影空間の方を向いていて、この面には、上記摺動ブロックと一体にされ、かつ対応する端部プーリーに掛けられた歯付きベルトの形態の垂直移動手段が設けられていることを特徴とする、請求項１記載の装置。
【請求項３】
上記モータユニットのモータ手段は、シャフトがモータユニットから撮影空間へと向かって突出する電気モータを含み、
上記運動を伝達する手段は、電気モータのシャフトに一体的なプーリーと、上記垂直移動手段に関連するプーリーとの間に掛けられた可撓性のある伝達部を含んでいることを特徴とする、請求項１記載の装置。
【請求項４】
上記摺動ブロックに固定された直立部材は、平行な２つの管状要素と追加の管状要素とを含んでいて、
これらの管状要素は、摺動ブロックと、前方ビデオカメラを保持する上部キャップを含む少なくとも１つの横方向締結部材と、によって相互接続されていることを特徴とする、請求項１記載の装置。
【請求項５】
上記水平に延在するフレームは、上記直立部材に接続され第２アームへと延在する第１アームを含んでいて、
第２アームは、第１アームに対して直交していて、側方ビデオカメラおよび対応するシートホルダを支持していることを特徴とする、請求項１記載の装置。
【請求項６】
上記シートホルダがそれぞれ、少なくとも１対の向き合った上部バーを含んでいて、当該上部バーは、上記横方向に延びるアームに下端が挿通された対応する多様な垂直ロッドで支持されていて、
側面の背景シートは、その上部および下部がロッドで補強されて、対応する横バーに平行に留められている一方、後方の背景シートは当該横バーの端部で支持されていることを特徴とする、請求項１および５記載の装置。
【請求項７】
上記支持フレームへ接続するためのブラケットは、文字Ωの形状を為していて、ローレットネジで支持フレームに接続されていることを特徴とする、請求項１記載の装置。
【請求項８】
上記フレームを支持するベースが、建物の壁に固定されることを特徴とする、請求項１記載の装置。
【請求項９】
上記フレームを支持するベースが、硬質壁を備えた平らな平行六面体形状のコンテナの蓋の内側部分に固定され、
当該コンテナは、上記蓋がヒンジ結合されたケースを含んでいて、開いたときに当該装置の基台として機能することを特徴とする、請求項１記載の装置。
【請求項１０】
上記コンテナの蓋とケースがガススプリングによって相互連結されていて、当該蓋およびケースは、隣接する幅狭の側部に脚部を有していることを特徴とする、請求項９記載の装置。
【請求項１１】
上記コンテナは蓋の一方の幅狭の側部に追加の脚部を有していて、
ヒンジ結合されたブラケットによって当該追加の脚部を開いて支持面を大きくすることを特徴とする、請求項９記載の装置。
【請求項１２】
上記ケースは、直立した延在部、対応する上部キャップ、シート保持用ロッド、シート、ビデオカメラ、直立したフレームアーム、および中央ビデオカメラ用の水平アームを収容するためのラックを備えていることを特徴とする、請求項９記載の装置。
【請求項１３】
上記ケースの蓋が、フレームの横方向アーム、上部シートホルダバー、および補助ケーブルを収容していることを特徴とする、請求項９記載の装置。
【発明の詳細な説明】
【技術分野】
【０００１】
本発明は、身元証明写真を撮影するための搬送可能な装置に関する。この装置は、壁に取り付けたり、あるいは当該装置を運ぶためのコンテナに取り付けて使用することができる。
【背景技術】
【０００２】
現代社会においてセキュリティに対する需要が増加しており、個人の識別装置が益々必要とされている。特に、よく知られた集団移動において、ルーチン的な識別のために拘留された者が書類を所持していないことは、非常に多く見受けられる。
【０００３】
個人識別のための中央警備オフィスが幾つか存在することが知られている。そこでも身元証明写真が撮影されるが、個人識別に必要な仕事量は膨大であり、それらのオフィスだけではこれを遂行するには十分でない。また、身元証明写真を撮影するためには、拘留された者を中央警備オフィスへ移送することが必要となる。
【発明の開示】
【発明が解決しようとする課題】
【０００４】
この問題を分解するため、発明の１つの目的は、信頼性が高く簡単に操作できる、身元証明写真を撮影するための装置を提供することである。
【０００５】
本発明の他の目的は、必要な場所へと簡単に搬送できて、据付け位置で使用できる身元証明写真の撮影装置を提供することである。
【０００６】
発明の他の目的は、閉じた環境がなくても身元証明写真を撮影できるようにすることである。
【０００７】
発明のもう一つの目的は、身元証明写真の撮影装置の分解および再組立を非常に迅速に行い得るようにすることである。
【課題を解決するための手段】
【０００８】
本発明により、壁面または搬送用コンテナ上に取り付けて使用できる、身元証明写真を撮影するための搬送可能な装置が提供される。この装置は、次のものを含む。
− 垂直に延在するベース。当該ベースは、支持フレームへ接続するためのブラケットを備えるとともに、一対の角柱状部材を有する。当該ベースと一体に縦方向のガイドが形成されていて、摺動ブロックが、垂直方向移動手段によって、リミットスイッチによる制御下で上下にスライド可能である。
− 上記ベースに固定されたモータユニット。当該モータユニットは、モータ手段と、摺動ブロックを上記ガイドに沿ってスライドさせる上記垂直方向移動手段へと運動を伝達する手段と、を含む。
− 上記摺動ブロックに固定されていて、超音波を利用した高さ計を備える、直立部材。
− 上記直立部材により支持された、水平に延在するフレーム。当該フレームは、撮影空間を作り出すためのシートホルダおよび対応する垂直の背景シートを支持する。背景シートのうちの２枚は、互いに対向して配置され、中央に開口を有している。第３の後方シートは、上記２枚のシートに対して直角に配置される。
− それぞれが照明用ランプを備えた少なくとも３台のデジタルビデオカメラ。すなわち、上記第３の後方シートに対向して配置された前方ビデオカメラと、上記２枚の背景シートの対応する中央開口に通される側方の２台のビデオカメラ。当該少なくとも３台のビデオカメラは、上記撮影空間に向けられていて、被写体の顔面を前方および両側方から同時に撮影するとともに、同時に撮影したこれら３つの画像をデジタル形式で記録する。
− マイクロプロセッサーを含む制御装置。当該マイクロプロセッサーは、制御カードを介して、上記モータ手段、リミットスイッチ、高さ計、デジタルビデオカメラの照明用ランプ、およびデジタルビデオカメラ自身に、機能的に接続されている。当該制御装置は、オペレーティング装置に接続されていて、身元証明写真の撮影、選択、保存を行う。
【発明を実施するための最良の形態】
【０００９】
本発明の実施形態を添付の図面を参照して以下に詳細に説明する。
【００１０】
図１および２は、装置の第１実施態様を示している。図１では、装置は壁面(側面視で示している)に固定されており、図２では、装置はその搬送コンテナ(斜視図で示している)上に取り付けられている。
図において、参照番号１は垂直に延在するベースを、２はモータユニットを、３は直立部材を、４は水平に延在するフレームを示す。フレーム４は、ビデオカメラおよび撮影空間を形成する背景シートを保持する。
【００１１】
図３および図４は、それぞれ、搬送コンテナに取り付けた実施形態を上方から見た平面図、および正面図である。これらの図にも示されるように、垂直に延在するベース１は、平坦な平行六面体形状を為す。図１に示されるように、ベース１が有するフェース面１０には、壁Ｐ上の支持フレーム１２用に対する接続ブラケット１１が固定されている。
【００１２】
別例では、図２〜図４に示したように、装置コンテナ５の構造の一部をなす支持フレーム１３(図２中に明確に示されている)に対して、ベース１が接続ブラケット１１を用いて固定される。
【００１３】
接続ブラケット１１は、本質的にΩの文字の如き形状であって、これにより、ベースと支持フレームとの間にスペースが設けられる。接続ブラケット１１は、ローレットネジ１５によって非常に迅速に取り付けることができる。
【００１４】
ベース１は、縦方向に延在する幅狭の側面１６を有しており、当該側面１６上には、対応する鳩尾状（dovetail）のガイド１７が設けられている。また、ベース１が有するフロントフェース１８上には、直立部材３の移動装置６が取り付けられている。これについては、後述する。
【００１５】
図２および図４によく示されているように、モータユニット２は、ベース１と一体に構成されている。モータユニット２は電気モータ(示されない)を含んでいて、そのシャフト２０が前方へ突出している。ベルト２１がプーリー２２と２３に掛けられている。プーリー２２は、シャフト２０にキー結合されている。プーリー２３は、プーリー２２よりも直径が大きく、モータユニット２のシャフト２４にキー結合されている。
【００１６】
直立部材３の移動装置のプーリー６０は、プーリー２３に対向して、シャフト２４に取り付けられている。
【００１７】
歯付きベルト６１がプーリー６０とベース１の上部に設けられたプーリー６２とに掛けられている。
【００１８】
摺動ブロック６３は、歯付きベルト６１の片側に固定されていて、モータユニット２のシャフト２０の回転の方向に応じて、当該ベルト６１とともに上下動する。摺動ブロック６３の移動は、リミットスイッチ６４および６５(図２中に概略的に示している)で制御される。
【００１９】
図３に示したように、摺動ブロック６３は、ベース１の鳩尾状ガイド１７と係合する角柱状の要素６６を有する。
【００２０】
直立部材３の基部は、摺動ブロック６３に固定されている。直立部材３は摺動ブロック６３に固定されるが、好ましくは、平行な２つの管状要素３０および３１からなる直立部材３が、摺動ブロック６３と少なくとももう１つの他の同様の連結要素３２によって一体化される。
【００２１】
追加の管状の延長要素３３、３４(図２および図４)を、管状要素３０、３１に差し込むことができる。これらの追加的な要素は、上部キャップ３５によって相互連結される。上部キャップ３５は、ローレットネジ３６、３７を用いて管状要素３３、３４に固定される。超音波を利用した従来タイプの高さ計が直立部材に固定されている。
【００２２】
第１のビデオカメラ７は、後方支持部７０およびローレットネジ７１を用いて、上部キャップ３５に固定されている。
【００２３】
上部キャップ３５は対向配置した直角コネクター３８、３９を有していて、そこに、水平に延在するフレーム４の第１アーム４０、４１が差し込まれる。アーム４０、４１は、それぞれが１対の管状要素で構成されていて、上部キャップ３５の対向するコネクター３８、３９に挿入され、ローレットネジ４２でそこに保持されている。
【００２４】
アーム４０、４１の端部にはコネクター４３が設けられていて、これにより、水平フレーム４の第１アームと、対応する第２アーム４４、４５とが直角に接続される。アーム４４、４５の端部は、対応するビデオカメラ(すなわち第２のビデオカメラ７２、第３ビデオカメラ７３)を保持する。これらのビデオカメラ７２、７３は、垂直な姿勢でローレットネジ７１によって固定されている。ビデオカメラ７２、７３は、側方ビデオカメラである。
【００２５】
フレーム４の第２のアーム４４、４５は、シートホルダ８および対応する垂直の背景シート９１、９２、９３を支持し、これにより、図２〜４中に参照番号９で示した平行六面体の撮影空間を形成する。人の顔をこの撮影空間内に位置させて、身元証明写真を撮影する。
【００２６】
各シートホルダ８は、少なくとも１対の向かい合う上部バー８０、８１を含む。上部バー８０、８１は、垂直に向けられたロッド８２、８３で支持されている。垂直ロッド８２、８３の下端は、横方向アーム４４、４５に形成された対応する穴に差し込まれる。また、垂直ロッド８２、８３の上端は、貫通孔８４に差し込まれる。
【００２７】
シートを留める簡単な弾性クランプ手段(図示せず)が、一対の上部バー８０、８１上に設けられる。各シートは、上部支持ロッド９３および下部伸長ロッド９４を有している。これらのロッドは、シートの上下端に形成されたスロットに通される。
【００２８】
中央のシート９０は、ビデオカメラ７０の前方に位置し、細長い上部ロッド９３を有する。上部ロッド９３は、上部バー８０、８１の自由端上に載って、その間にリンクを構成する。２つのサイドシート９１、９２もそれぞれ上部ロッド９３を有していて、これらは、対応するサイドバー８０、８１の弾性クランプによって平行に保持されている。
【００２９】
サイドシート９１、９２には中央開口が形成されていて、この開口に側方のビデオカメラ７２、７３の前方部分が通される。
【００３０】
ビデオカメラ７、７２および７３は、デジタルビデオカメラであって、それぞれ照明ランプを備えている。これらのビデオカメラは撮影空間９に向けられていて、前方および両側方から被写体の顔面を同時に撮影できる。これら３つの画像は、デジタル形式で、同時に記録され保存される。
【００３１】
図５は、各操作部の関係を概略的に示すブロック図である。この図において、参照番号１００は、好ましくは装置のモータユニット内に配置された制御装置の全体を示す。制御装置１００はマイクロプロセッサー(ブロック１０１)を備えていて、マイクロプロセッサー(ブロック１０１)は、制御カードによって、モータ(ブロック１０２)、リミットスイッチ６４、６５(ブロック１０３)、超音波を利用した高さ計(ブロック１０４)、ビデオカメラの照明ランプ(ブロック１０５)、中央ビデオカメラ(ブロック１０６)、および側方ビデオカメラ(ブロック１０７および１０８)に機能的に接続されている。制御装置は、身元証明写真の撮影、選択、保存を行う、既知のタイプのオペレーティング装置(ブロック１０９)に接続される。
【００３２】
固定した支持装置を使用できない場所に本発明の装置が設置される場合、図中に明確に示したように、そのコンテナが基台の役割を果たす。硬質の壁部を備えていて搬送が容易なコンテナ５は、ケース５０および蓋５１を有する。蓋５１には、ベース１が着脱可能に固定される。ガススプリングとして知られた手段によって、蓋５１はケース５０に連結されており、これら２つの部分は、隣接する狭い側方位置５４、５５に脚部５３を備える。蓋を閉じると、図６に示したように、当該装置のコンテナとなる。
【００３３】
図７および図８は、装置をその内部に収容した状態における、ポータブルコンテナ５のケース５０および蓋５１の正面図を示している。ケース５０内の適切な水平ラック５６、５７上には、直立する延在部３３、３４；スクリュー３６、３７を備えた対応する上部キャップ３５(その異なるデザインのうちの１バリエーション)；シート保持バー８；巻き上げられたシート９０、９１、９２；ビデオカメラ７、７１、７２；直立したフレームアーム４０、４１（単一の管状部材からなるバージョン）；中央ビデオカメラ用の水平アーム７０；直立する小さな延在部５８、５９；が収容されている。
【００３４】
追加的な脚部１１０、１１０が蓋５１に示されている。脚部１１０、１１０は、ヒンジ結合されたアーム１１１、１１１によって固定ブラケット１１２を中心として回動し、蓋の支持領域を拡げる。アーム１１１は、対応するストッパ１１３、１１３によって保持される。フレーム４４、４５のサイドアームのためのホルダ、上方のシート保持バー８０、８１、および囲い１１４内の補助のケーブルは、蓋５１内に保持される。ベース１およびモータユニット２は、破線で概略的に示したように、支持フレーム上に固定される。
【図面の簡単な説明】
【００３５】
【図１】フレームを用いて固定壁に固定した実施形態を示す概略側面図。
【図２】搬送コンテナ上に取り付けた実施形態を示す概略斜視図。
【図３】図２の装置を真上から見た平面図。
【図４】図２の装置を矢印Ｆ方向から見た正面図。説明を分かり易くするため、各部を透明に図示している。
【図５】本発明の装置の概略的な機能ブロック図。
【図６】装置のコンテナを閉じた状態で示す斜視図。
【図７】部分的に分解して、ポータブルコンテナのケース内に収納された装置の概略正面図。
【図８】部分的に分解された装置の概略正面図。図７に示したポータブルコンテナの蓋内に収納された、残りの装置部分を示している。
【図１】
2007519008.tif 000003
【図２】
2007519008.tif 000004
【図３】
2007519008.tif 000005
【図４】
2007519008.tif 000006
【図５】
2007519008.tif 000007
【図６】
2007519008.tif 000008
【図７】
2007519008.tif 000009
【図８】
2007519008.tif 000010
【国際調査報告】
2007519008.tif 000011
2007519008.tif 000012